(57)【要約】【課題】誤操作を抑制することができる操作装置を提供する。【解決手段】操作装置１の制御部６は、第１の機能に関する表示を行う第１の表示画面８７８ａに引き出し操作の起点となる起点画像８７４ｂが表示され、操作部２を介してなされた起点画像８７４ｂを起点とした引き出し操作によって第２の機能に関する表示を行う第２の表示画面８７８ｂを第１の表示画面８７８ａ上に引き出すように表示装置５を制御するように概略構成されている。【選択図】図４
2020160789.tif 000002
【特許請求の範囲】
【請求項１】
第１の機能に関する表示を行う第１の表示画面に引き出し操作の起点となる起点画像が表示され、操作部を介してなされた前記起点画像を起点とした前記引き出し操作によって第２の機能に関する表示を行う第２の表示画面を前記第１の表示画面上に引き出すように表示装置を制御する制御部を備えた操作装置。
【請求項２】
前記制御部は、特定の処理が割り当てられた画像が一方向に並んで前記第１の表示画面に表示されている場合、前記一方向に交差する位置には前記起点画像を配置する、
請求項１に記載の操作装置。
【請求項３】
前記制御部は、前記第１の表示画面に表示された前記起点画像と対向する側であって前記第２の表示画面に表示された起点画像を起点とした前記引き出し操作と逆方向のなぞり操作又はフリック操作が行われた場合、引き出された前記第２の表示画面を戻して前記第１の表示画面を表示させる、
請求項１又は２に記載の操作装置。
【請求項４】
前記制御部は、前記第１の機能及び前記第２の機能の主機能に対する操作方向と、副機能に対する操作方向とを相違する操作方向とする、
請求項１乃至３のいずれか１項に記載の操作装置。
【請求項５】
前記相違する操作方向は、直交方向である、
請求項４に記載の操作装置。
【請求項６】
前記操作部は、車両のステアリングに配置され、
前記制御部は、前記主機能の操作方向を車両の車高方向とし、前記副機能の操作方向を車幅方向とする、
請求項４又は５に記載の操作装置。
【請求項７】
前記副機能に対する操作の開始位置は、前記操作部の外縁である、
請求項４乃至６のいずれか１項に記載の操作装置。
【請求項８】
車両のステアリングのスポーク部に配置され、操作面になされた操作を受け付ける前記操作部を備えた、
請求項１乃至７のいずれか１項に記載の操作装置。
【発明の詳細な説明】
【技術分野】
【０００１】
本発明は、操作装置に関する。
【背景技術】
【０００２】
従来の技術として、車両に設けられ、運転手の操作による入力内容を該車両内に設けられた表示部に表示する入力装置が知られている（例えば、特許文献１参照。）。
【０００３】
この入力装置は、車両のステアリングホイールに設けられたタッチパッドを備えている。
【先行技術文献】
【特許文献】
【０００４】
【特許文献１】特開２０１８−１２７０１３号公報
【発明の概要】
【発明が解決しようとする課題】
【０００５】
近年では、ＧＵＩ（＝Graphical User Interface）の発展によって様々な処理が１つの表示画面に対する操作で実行可能とされ、例えば、タッチパッドに対するなぞり操作の方向が同じでありながら異なる処理が実行される場合があり、誤操作が発生する可能性がある。
【０００６】
従って本発明の目的は、誤操作を抑制することができる操作装置を提供することにある。
【課題を解決するための手段】
【０００７】
本発明の一態様は、第１の機能に関する表示を行う第１の表示画面に引き出し操作の起点となる起点画像が表示され、操作部を介してなされた起点画像を起点とした引き出し操作によって第２の機能に関する表示を行う第２の表示画面を第１の表示画面上に引き出すように表示装置を制御する制御部を備えた操作装置を提供する。
【発明の効果】
【０００８】
本発明によれば、誤操作を抑制することができる。
【図面の簡単な説明】
【０００９】
【図１】図１（ａ）は、実施の形態に係る車両内部の一例を示す概略図であり、図１（ｂ）は、操作装置のブロック図の一例である。
【図２】図２（ａ）は、実施の形態に係る表示装置の表示画面の一例を示す概略図であり、図２（ｂ）は、ステアリングの一例を示す概略図である。
【図３】図３（ａ）は、実施の形態に係る左側のタッチパッドユニットの一例を示す概略図であり、図３（ｂ）は、右側のタッチパッドユニットの一例を示す概略図である。
【図４】図４（ａ）〜図４（ｃ）は、実施の形態に係る操作装置の起点画像を起点とした左側から右側に向かうなぞり操作における表示画面の切り替わりの一例を示す概略図である。
【図５】図５（ａ）〜図５（ｃ）は、実施の形態に係る操作装置の起点画像を起点とした上側から下側に向かうなぞり操作における表示画面の切り替わりの一例を示す概略図である。
【図６】図６は、実施の形態に係る操作装置の第２の表示画面を引き出す操作に関する動作の一例を示すフローチャートである。
【図７】図７は、実施の形態に係る操作装置の第２の表示画面を戻す操作に関する動作の一例を示すフローチャートである。
【発明を実施するための形態】
【００１０】
（実施の形態の要約）
実施の形態に係る操作装置は、第１の機能に関する表示を行う第１の表示画面に引き出し操作の起点となる起点画像が表示され、操作部を介してなされた起点画像を起点とした引き出し操作によって第２の機能に関する表示を行う第２の表示画面を第１の表示画面上に引き出すように表示装置を制御する制御部を備えて概略構成されている。
【００１１】
この操作装置は、第２の表示画面を引き出す操作を行う際、起点となる起点画像を目安に操作を行うことができるので、この構成を採用しない場合と比べて、同じ操作方向で他の処理が実行される場合であっても操作の切り分けをし易く、誤操作を抑制することができる。
【００１２】
[実施の形態]
（操作装置１の概要）
以下に記載する実施の形態に係る各図において、図形間の比率は、実際の比率とは異なる場合がある。また図１（ｂ）では、主な信号や情報の流れを矢印で示している。
【００１３】
操作装置１は、図１（ａ）及び図１（ｂ）に示すように、操作部２と、制御部６と、を備えている。
【００１４】
この操作装置１は、例えば、車両８の車載装置を操作対象装置８９として操作することができるように構成されている。この車載装置とは、一例として、音楽及び映像再生装置、ナビゲーション装置、電動シート装置、クルーズコントロール装置、レーンキープ装置、自動運転装置、車両８に関する各種設定を行うことができる車両制御装置などである。
【００１５】
車両８は、一例として、図１（ａ）に示すように、メータパネル８３に配置されたメータディスプレイ８４、センターコンソール８１ｂに配置されたメインディスプレイ８６、インストルメントパネル８１ｃに配置され、フロントガラス８８の投影領域に表示対象を投影するヘッドアップディスプレイ８７、及びフロントガラス８８に配置されたルームミラーモニタ８８０などの表示装置を備えている。
【００１６】
操作装置１は、これらのうち、少なくとも１つの表示装置に階層式のＧＵＩの表示画面を表示させるように構成されている。本実施の形態の操作装置１は、例えば、図２（ａ）に示すように、表示装置５としてヘッドアップディスプレイ８７の投影領域にＧＵＩの表示画面を表示させるように構成されている。以下では、投影領域は、表示画面８７０と記載する。このＧＵＩの表示画面８７０には、操作装置１によって制御可能な機能や設定値が画像として表示される。従って操作装置１は、後述する操作部２と表示装置５とが離れた遠隔操作システムである。
【００１７】
表示装置５の表示画面８７０は、図２（ａ）に示すように、メニュー表示領域８７４及びメニュー表示領域８７６と、ダイレクト表示領域８７５及びダイレクト表示領域８７７と、を備えている。
【００１８】
（操作部２の構成）
操作部２は、図１（ｂ）に示すように、タッチパッドユニット２ａ及びタッチパッドユニット２ｂを備えている。
【００１９】
このタッチパッドユニット２ａ及びタッチパッドユニット２ｂは、例えば、図２（ｂ）に示すように、ステアリング８５の左右のスポーク部（スポーク部８５１及びスポーク部８５２）に配置されている。このスポーク部８５１及びスポーク部８５２は、警報機やエアバッグなどが配置された基部８５０と、ユーザが把持するリング部８５３と、を連結するものである。またスポーク部８５１及びスポーク部８５２は、例えば、図２（ｂ）に示すように、車両８が直進する状態のステアリング位置において略水平に伸びて基部８５０とリング部８５３とを連結している。
【００２０】
タッチパッドユニット２ａ及びタッチパッドユニット２ｂは、ユーザがリング部８５３とスポーク部８５１及びスポーク部８５２との連結部分周辺を左手９ａ及び右手９ｂで把持した状態で操作可能となっている。なお操作装置１は、タッチパッドユニット２ａ及びタッチパッドユニット２ｂのいずれか一方を備える構成であっても良い。
【００２１】
また操作部２は、メニュー入力領域３０１とダイレクト入力領域３０２に対応するものであればタッチパッドユニット２ａ及びタッチパッドユニット２ｂに限定されず、運転席８０ａと助手席８０ｂの間に位置するフロアコンソール８１ａのタッチパッド８２を用いて構成されても良いし、センターコンソール８１ｂやドアトリム８１ｄに配置されたタッチパッドを用いても良い。
【００２２】
タッチパッドユニット２ａ及びタッチパッドユニット２ｂは、それぞれがタッチパッド３及びスイッチ４を備えて概略構成されている。
【００２３】
（タッチパッド３の構成）
タッチパッドユニット２ａのタッチパッド３は、図３（ａ）及び図３（ｂ）に示すように、矩形の操作面３０ａを有する。タッチパッドユニット２ｂのタッチパッド３は、一例として、図３（ｂ）に示すように、タッチパッドユニット２ａのタッチパッド３と同形状とされている。なおタッチパッド３の形状は、これに限定されない。以下では、主にタッチパッドユニット２ａについて説明する。
【００２４】
タッチパッド３は、操作面３０ａに対するタッチ入力、なぞり操作及びフリック操作などを検出するように構成されている。タッチパッド３は、例えば、抵抗膜方式や静電容量方式などのタッチパッドを用いることが可能である。本実施の形態のタッチパッド３は、一例として、静電容量方式のタッチパッドを用いている。左右のタッチパッド３は、検出した結果を示す検出情報Ｓ１及び検出情報Ｓ３を制御部６に出力する。
【００２５】
ユーザは、例えば、タッチパッド３に対してプッシュ操作を行うことによって選択の決定（選択決定）を行うことができる。
【００２６】
タッチパッド３の操作面３０ａは、例えば、図３（ａ）及び図３（ｂ）の紙面において点線によってメニュー入力領域３０１とダイレクト入力領域３０２とに分かれている。なお図３（ａ）及び図３（ｂ）に示す点線は、説明のために付された線であって実際に付された線ではない。このメニュー入力領域３０１とダイレクト入力領域３０２を分かつ線は、印刷などで操作面３０ａに形成されても良い。またダイレクト入力領域３０２のマークは、操作可能な機能を模して示したものであり、印刷によって操作面３０ａに設けられている。
【００２７】
ここで右側のタッチパッド３は、図３（ａ）及び図３（ｂ）に示すように、左側のタッチパッド３とメニュー入力領域３０１とダイレクト入力領域３０２とが入れ替わった配置となっている。つまりステアリング８５のリング部８５３側には、ダイレクト入力領域３０２が設定され、基部８５０側には、メニュー入力領域３０１が設定されている。これはステアリング８５を把持した状態でタッチ入力し易い位置にダイレクト入力領域３０２を配置し、操作指を伸ばしてなぞり操作し易い位置にメニュー入力領域３０１を配置したためである。
【００２８】
タッチパッドユニット２ａのタッチパッド３のメニュー入力領域３０１は、図２（ａ）及び図３（ａ）に示すように、表示画面８７０のメニュー表示領域８７４に表示されたリスト８７４ａを上下にスクロールさせることができる領域である。またタッチパッドユニット２ｂのタッチパッド３のメニュー入力領域３０１は、図２（ａ）及び図３（ｂ）に示すように、表示画面８７０のメニュー表示領域８７６に表示されたリスト８７６ａを上下にスクロールさせることができる領域である。
【００２９】
タッチパッドユニット２ａのタッチパッド３のダイレクト入力領域３０２は、図２（ａ）及び図３（ａ）に示すように、第１のタッチ領域３０２ａ〜第３のタッチ領域３０２ｃが表示画面８７０のダイレクト表示領域８７５に表示されたアイコン８７５ａ〜アイコン８７５ｃに対応している。ユーザは、タッチパッドユニット２ａ側のダイレクト入力領域３０２のタッチ領域にタッチ入力を行うことでアイコン８７５ａ〜アイコン８７５ｃの中から所望のアイコンを選択することができる。
【００３０】
アイコン８７５ａは、左側のタッチパッド３を介して指示した処理がなされた場合、処理がなされる前の状態に戻ることができる機能が割り付けられている。アイコン８７５ｂは、音量を上げる機能が割り付けられている。アイコン８７５ｃは、音量を下げる機能が割り付けられている。
【００３１】
タッチパッドユニット２ｂのタッチパッド３のダイレクト入力領域３０２は、図２（ａ）及び図３（ｂ）に示すように、第１のタッチ領域３０２ｄ〜第３のタッチ領域３０２ｆが表示画面８７０のダイレクト表示領域８７７に表示されたアイコン８７７ａ〜アイコン８７７ｃに対応している。ユーザは、タッチパッドユニット２ｂのタッチパッド３のダイレクト入力領域３０２の第１のタッチ領域３０２ｄ〜第３のタッチ領域３０２ｆのいずれかにタッチ入力を行うことでアイコン８７７ａ〜アイコン８７７ｃの中から所望のアイコンを選択することができる。
【００３２】
アイコン８７７ａは、右側のタッチパッド３を介して指示した処理がなされた場合、処理がなされる前の状態に戻ることができる機能が割り付けられている。アイコン８７７ｂは、運転補助機能であるオートクルーズコントロール機能が割り付けられている。アイコン８７７ｃは、運転補助機能であるレーンキープアシスト機能が割り付けられている。
【００３３】
制御部６は、タッチパッド３のダイレクト入力領域３０２に対してタッチ入力に適した絶対座標系を設定する。また制御部６は、表示装置５の表示に応じてメニュー入力領域３０１に対して相対座標系又は絶対座標系を設定する。制御部６は、画面遷移に応じて、なぞり操作が適した表示である場合、相対座標系をメニュー入力領域３０１に設定し、タッチ入力が適した表示である場合、絶対座標系をメニュー入力領域３０１に設定する。
【００３４】
（スイッチ４の構成）
スイッチ４は、図３（ａ）及び図３（ｂ）に示すように、操作面３０ａの中央付近に配置されている。このスイッチ４は、タッチパッド３の押し下げ、つまり操作面３０ａになされたプッシュ操作を検出するマイクロスイッチである。
【００３５】
スイッチ４は、マイクロスイッチのような機械式スイッチに限定されず、磁気センサなどを用いた非接触スイッチやプッシュ操作に伴う荷重を検出することでプッシュ操作を検出する荷重センサなどであっても良い。
【００３６】
タッチパッドユニット２ａのスイッチ４は、スイッチ信号Ｓ２を制御部６に出力する。またタッチパッドユニット２ｂのスイッチ４は、スイッチ信号Ｓ４を制御部６に出力する。
【００３７】
（表示装置５の構成）
表示装置５は、有機ＥＬ（＝Electro-Luminescence）ディスプレイ、液晶ディスプレイやヘッドアップディスプレイなどである。本実施の形態の表示装置５は、上述のように、ヘッドアップディスプレイ８７である。
【００３８】
ヘッドアップディスプレイ８７の表示画面８７０は、図２（ａ）に示すように、左表示領域８７１、右表示領域８７２及び中央表示領域８７３を有している。
【００３９】
左表示領域８７１は、ステアリング８５の左側に配置されたタッチパッド３に対応した表示領域である。この左表示領域８７１は、メニュー表示領域８７４と、ダイレクト表示領域８７５と、を備えている。
【００４０】
メニュー表示領域８７４は、タッチパッドユニット２ａのメニュー入力領域３０１になされた操作に基づいてメニュー、アイコン及びカーソルなどを表示する領域である。
【００４１】
ダイレクト表示領域８７５は、タッチパッドユニット２ａのダイレクト入力領域３０２の第１のタッチ領域３０２ａ〜第３のタッチ領域３０２ｃに対応する表示を行う領域である。
【００４２】
右表示領域８７２は、ステアリング８５の右側に配置されたタッチパッド３に対応した表示領域である。この右表示領域８７２は、メニュー表示領域８７６と、ダイレクト表示領域８７７と、を備えている。
【００４３】
メニュー表示領域８７６は、タッチパッドユニット２ｂのメニュー入力領域３０１になされた操作に基づいてメニュー、アイコン及びカーソルなどを表示する領域である。
【００４４】
ダイレクト表示領域８７７は、タッチパッドユニット２ｂのダイレクト入力領域３０２の第１のタッチ領域３０２ｄ〜第３のタッチ領域３０２ｆに対応する表示を行う領域である。
【００４５】
ユーザは、左右のタッチパッド３のメニュー入力領域３０１に操作を行うことにより、メニュー表示領域８７４及びメニュー表示領域８７６に表示されたアイコンの選択及び決定、メニューのスクロール、カーソルの操作などを行うことができる。
【００４６】
またユーザは、左右のタッチパッド３のダイレクト入力領域３０２に操作を行うことにより、ダイレクト表示領域８７５及びダイレクト表示領域８７７に表示されたアイコンを選択、決定することができる。
【００４７】
中央表示領域８７３は、操作部２によって選択、決定された機能に関する画像８７３ａが表示される。
【００４８】
（制御部６の構成）
制御部６は、例えば、記憶されたプログラムに従って、取得したデータに演算、加工などを行うＣＰＵ（＝Central Processing Unit）、半導体メモリであるＲＡＭ（＝Random Access Memory）６１及びＲＯＭ（＝Read Only Memory）などから構成されるマイクロコンピュータである。このＲＯＭには、例えば、制御部６が動作するためのプログラムが格納されている。ＲＡＭ６１は、例えば、一時的に演算結果などを格納する記憶領域として用いられる。またＲＡＭ６１は、操作対象装置８９から取得した、表示装置５に表示させる画像の情報である画像情報８９０を記憶する。
【００４９】
制御部６は、取得した画像情報８９０に基づいて表示制御情報Ｓ５を生成して表示装置５を制御する。表示装置５は、表示制御情報Ｓ５に基づいて画像を表示させる。本実施の形態の表示装置５は、ヘッドアップディスプレイ８７であるので、表示制御情報Ｓ５に基づいて表示画面８７０に画像を表示する。
【００５０】
また制御部６は、タッチパッド３になされた操作、及びスイッチ４になされた操作に基づいて操作情報Ｓ６を生成し、操作対象装置８９に出力する。
【００５１】
制御部６は、第１の機能及び第２の機能の主機能に対する操作方向と、副機能に対する操作方向とを相違する操作方向とする。この相違する操作方向は、直交方向である。この主機能は、例えば、リストのスクロールである。副機能は、例えば、現在の表示画面上に別の表示画面を表示させる機能である。
【００５２】
操作部２は、上述のように、車両８のステアリング８５に配置されている。制御部６は、主機能の操作方向を車両８の車高方向とし、副機能の操作方向を車幅方向とする。例えば、図２（ｂ）の紙面において、車高方向が上下方向であり、車幅方向が左右方向である。
【００５３】
また制御部６は、図４（ａ）〜図４（ｃ）に示すように、第１の機能に関する表示を行う第１の表示画面８７８ａに引き出し操作の起点となる起点画像８７４ｂが表示され、操作部２を介してなされた起点画像８７４ｂを起点とした引き出し操作によって第２の機能に関する表示を行う第２の表示画面８７８ｂを第１の表示画面８７８ａ上に引き出すように表示装置５を制御するように概略構成されている。なお図２（ａ）の右表示領域８７２には、第２の表示画面８７９ａにリスト８７６ａと起点画像８７６ｂとが表示されている。
【００５４】
また制御部６は、図４（ａ）〜図４（ｃ）に示すように、特定の処理が割り当てられた画像が一方向に並んで第１の表示画面８７８ａに表示されている場合、一方向に沿って画像が選択される場合は引き出し操作の起点となる起点画像８７４ｂを表示させる。
【００５５】
具体的には、図４（ａ）に示すように、第１の機能に関する第１の表示画面８７８ａには、特定の処理が割り当てられた画像として「エアコン」、「エージェント」及び「メール」の項目が縦に並んでリスト８７４ａを構成している。この第１の機能とは、操作対象をリスト８７４ａとして並べ、選択させる機能である。なおリスト８７４ａの項目は、スクロールによって表示されている項目があっても良い。
【００５６】
このリスト８７４ａは、ユーザがタッチパッド３に行なったなぞり操作に基づいて項目が上下にスクロールされる。このスクロールによって中央に移動した項目は、選択状態となり、プッシュ操作によって割り当てられた処理が実行される。ユーザは、このリスト８７４ａから操作対象を選択することができる。
【００５７】
またユーザは、図４（ｂ）に示すように、起点画像８７４ｂを目安としてタッチパッド３の右端から左方向に向かってなぞり操作を行い、第２の表示画面８７８ｂを第１の表示画面８７８ａ上に重畳して表示させることができる。
【００５８】
この第２の機能に関する第２の表示画面８７８ｂは、図４（ｃ）に示すように、特定の処理が割り当てられた画像として「Ａ曲を再生」、「自宅に戻る」及び「風量調整」の項目が縦に並んでリスト８７４ｃを構成している。この第２の機能は、ユーザの履歴を項目として並べ、選択させる機能である。ユーザは、例えば、自宅に戻る場合、ナビゲーション装置に関する表示画面を何層も渡りながら操作するのではなく、第２の表示画面８７８ｂを表示させることで容易に選択することができる。
【００５９】
変形例として制御部６は、特定の処理が割り当てられた画像が一方向に並んで第１の表示画面８７８ａに表示されている場合、一方向に交差する位置に交差する方向には起点画像を配置しなくても良い。例えば、図４（ｃ）の場合、項目が上下にスクロールされるので、このスクロールの方向と交差する右端から左方向に向かうなぞり操作は、誤ってリスト８７４ｃのスクロールとされないので、この位置に起点画像がなくても誤操作されない。
【００６０】
ここで制御部６は、第１の表示画面に表示された起点画像と対向する側であって第２の表示画面に表示された起点画像を起点とした引き出し操作と逆方向のなぞり操作又はフリック操作が行われた場合、引き出された第２の表示画面を戻して第１の表示画面を表示させるように構成されている。
【００６１】
具体的には、制御部６は、引き出し操作と逆方向の操作が行われた場合、引き出された第２の表示画面８７８ｂを戻して第１の表示画面８７８ａを表示させる。ユーザは、第２の表示画面８７８ｂから第１の表示画面８７８ａに戻す場合、タッチパッド３のメニュー入力領域３０１の左端から右方向に向けてなぞり操作、又はフリック操作を行うことにより容易に第１の表示画面８７８ａに戻ることができる。
【００６２】
また図５（ａ）は、第１の表示画面８７８ａの右側と上側に起点画像８７４ｅ及び起点画像８７４ｆが表示され、２種類の表示画像を引き出すことができる。この第１の表示画面８７８ａには、再生対象となる項目がリスト８７４ｄとして表示されている。他の曲は、スクロールによって表示される。
【００６３】
この第２の表示画面８７８ｂを上端から引き出す操作は、図５（ｂ）に示すように、スクロール方向と同じであるので起点画像８７４ｆがない場合、リスト８７４ｄのスクロールと誤操作が生じる可能性がある。
【００６４】
しかしユーザは、図５（ｂ）に示すように、起点画像８７４ｆを目安としてタッチパッド３の上端から下方向に向かってなぞり操作を行うことができるので、誤操作を抑制することができる。
【００６５】
またユーザは、図５（ｃ）に示すように、下側に表示された起点画像８７４ｇを目安としてタッチパッド３の下端から上方向に向かってなぞり操作を行うことにより、第２の表示画面８７８ｂを戻す、つまり非表示にすることができる。
【００６６】
この第２の機能に関する第２の表示画面８７８ｂは、図５（ｃ）に示すように、特定の処理が割り当てられた画像として「オーディオ」、「ナビ」及び「エアコン」の項目が縦に並んでリスト８７４ａを構成している。
【００６７】
また起点画像８７４ｅを起点とするなぞり操作では、異なる機能に関する表示画面が引き出される。
【００６８】
操作装置１の動作の一例について図６及び図７のフローチャートに従って説明する。図６では、第２の表示画面を表示する動作について説明し、図７では、第２の表示画面を非表示する動作について説明する。
【００６９】
（動作）
・第２の表示画面８７８ｂの表示動作について
操作装置１の制御部６は、第１の表示画面８７８ａを表示する（Ｓｔｅｐ１）。制御部６は、ステップ２の「Ｙｅｓ」が成立する、つまりタッチパッド３を介して起点画像８７４ｂを起点するなぞり操作が行われた場合（Ｓｔｅｐ２：Ｙｅｓ）、第２の表示画面８７８ｂを引き出して第１の表示画面８７８ａの上に表示させる（Ｓｔｅｐ３）。
【００７０】
・第２の表示画面８７８ｂの非表示動作について
操作装置１の制御部６は、上述のステップ１〜ステップ３の動作により、第２の表示画面８７８ｂを表示する（Ｓｔｅｐ１０）。制御部６は、ステップ１１の「Ｙｅｓ」が成立する、つまりタッチパッド３を介して第２の表示画面８７８ｂの起点画像８７４ｇを起点するなぞり操作が行われた場合（Ｓｔｅｐ１１：Ｙｅｓ）、第２の表示画面８７８ｂを戻す、つまり非表示にして第１の表示画面８７８ａを表示させる（Ｓｔｅｐ１２）。
【００７１】
（実施の形態の効果）
本実施の形態に係る操作装置１は、誤操作を抑制することができる。具体的には、操作装置１は、第２の表示画面８７８ｂを引き出す操作を行う際、起点画像を目安に操作を行うことができるので、この構成を採用しない場合と比べて、同じ操作方向で他の処理が実行される場合であっても操作の切り分けをし易く、誤操作を抑制することができる。
【００７２】
操作装置１は、引き出した第２の表示画面８７８ｂを引き出した操作と逆向きのフリック操作を行うことで第１の表示画面８７８ａに戻ることができるので、この構成を採用しない場合と比べて、操作性が良い。
【００７３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７４】
１…操作装置、２…操作部、２ａ，２ｂ…タッチパッドユニット、３…タッチパッド、４…スイッチ、５…表示装置、６…制御部、８…車両、９ａ…左手、９ｂ…右手、３０ａ…、８１ａ…フロアコンソール、８１ｂ…センターコンソール、８１ｃ…インストルメントパネル、８１ｄ…ドアトリム、８２…タッチパッド、８３…メータパネル、８４…メータディスプレイ、８５…ステアリング、８６…メインディスプレイ、８７…ヘッドアップディスプレイ、８８…フロントガラス、８９…操作対象装置、３０１…メニュー入力領域、３０２…ダイレクト入力領域、３０２ａ〜３０２ｃ…第１のタッチ領域〜第３のタッチ領域、３０２ｄ〜３０２ｆ…第１のタッチ領域〜第３のタッチ領域、８５０…基部、８５１，８５２…スポーク部、８５３…リング部、８７０…表示画面、８７１…左表示領域、８７２…右表示領域、８７３…中央表示領域、８７３ａ…画像、８７４…メニュー表示領域、８７４ａ…リスト、８７４ｂ…起点画像、８７４ｃ，８７４ｄ…リスト、８７４ｅ，８７４ｆ…起点画像、８７５…ダイレクト表示領域、８７５ａ〜８７５ｃ…アイコン、８７６…メニュー表示領域、８７６ａ…リスト、８７６ｂ…起点画像、８７７…ダイレクト表示領域、８７７ａ〜８７７ｃ…アイコン、８７８ａ…第１の表示画面、８７８ｂ…第２の表示画面、８７９ａ…第２の表示画面、８８０…ルームミラーモニタ、８９０…画像情報
【図１】
2020160789.tif 000003
【図２】
2020160789.tif 000004
【図３】
2020160789.tif 000005
【図４】
2020160789.tif 000006
【図５】
2020160789.tif 000007
【図６】
2020160789.tif 000008
【図７】
2020160789.tif 000009